【手続補正書】
【提出日】平成16年10月6日(2004.10.6)
【手続補正１】
【補正対象書類名】明細書
【補正対象項目名】特許請求の範囲
【補正方法】変更
【補正の内容】
【特許請求の範囲】
【請求項１】  残差信号フレームを複数のサブフレームに区分し、
複数のサブフレームのそれぞれに対してコードブック利得を計算することによりサブフレーム利得のグループを生成し、
サブフレーム利得のグループをサブフレーム利得のサブグループに区分し、
複数の正規化係数を生成するためにサブフレーム利得のサブグループを正規化し、複数の正規化係数のそれぞれはサブフレーム利得の正規化されたサブグループの１つに関連されており、
複数の正規化係数のそれぞれを指数関数形態に変換し、変換された複数の正規化係数を量子化し、
複数の量子化されたコードブック利得を生成するためにサブフレーム利得の正規化されたサブグループを量子化し、各コードブック利得は複数のサブグループの１つのコードブック利得インデックスに関連されており、
複数のサブフレームのそれぞれに対してランダム数を有するランダム雑音信号を発生させ、
複数のサブフレームのそれぞれに対するランダム雑音信号の最高の振幅のランダム数の予め定められた割合を選択し、
スケールされたランダム雑音信号を発生するために各サブフレームに対する量子化されたコードブック利得により、選択された最高の振幅のランダム数をスケールし、
スケールされたランダム雑音信号をバンドパスフィルタで濾波し成形し、
エネルギ解析を行うために残差信号フレームのエネルギおよび、スケールされたランダム信号のエネルギを解析し、
エネルギ解析に基づいて第２のフィルタを選択し、さらにスケールされたランダム雑音信号を選択されたフィルタによって成形し、
選択されたフィルタを識別するため第２のフィルタ選択インジケータを生成するスピーチの非音声セグメントの符号化方法。
【請求項２】  残差信号フレームの複数のサブフレームへの区分は残差信号フレームを１０個のサブフレームに区分することを含んでいる請求項１記載の方法。
【請求項３】  サブフレーム利得のグループのサブグループへの区分は、１０個のサブフレーム利得のグループをそれぞれ５個のサブフレーム利得の２つのグループに区分することを含んでいる請求項１記載の方法。
【請求項４】  残差信号フレームは２０ミリ秒の期間中に毎秒８キロヘルツでサンプルされるフレーム当たり１６０個のサンプルを含んでいる請求項１記載の方法。
【請求項５】  最高の振幅のランダム数の予め定められた割合は２５％である請求項１記載の方法。
【請求項６】  ２つの正規化係数はそれぞれ５個のサブフレームコードブック利得の２つのサブグループに対して生成される請求項１記載の方法。
【請求項７】  サブフレーム利得の量子化は多段ベクトル量子化を使用して行われる請求項１記載の方法。
【請求項８】  残差信号のフレームを複数のサブフレームに区分する手段と、
複数のサブフレームのそれぞれに対してコードブック利得を計算することによりサブフレーム利得のグループを生成する手段と、
サブフレーム利得のグループをサブフレーム利得のサブグループに区分する手段と、
サブフレーム利得の正規化されたサブグループの１つに関連されている複数の正規化係数を生成するためにサブフレーム利得のサブグループを正規化する手段と、
複数の各正規化係数を指数関数形態に変換し、変換された複数の正規化係数を量子化する手段と、
それぞれ複数のサブグループの１つのコードブック利得インデックスに関連されている複数の量子化されたコードブック利得を生成するため、サブフレーム利得の正規化されたサブグループを量子化する手段と、
複数の各サブフレームのそれぞれに対するランダム数を有するランダム雑音信号を発生する手段と、
複数の各サブフレームのランダム雑音信号の最高の振幅のランダム数の予め定められた割合を選択する手段と、
スケールされたランダム雑音信号を発生するために各サブフレームに対する量子化されたコードブック利得により、選択された最高の振幅のランダム数をスケールする手段と、
スケールされたランダム雑音信号をバンドパスフィルタで濾波し、成形する手段と、
エネルギ解析を行うために残差信号フレームのエネルギおよび、スケールされたランダム信号のエネルギを解析する手段と、
エネルギ解析に基づいて第２のフィルタを選択し、さらにスケールされたランダム雑音信号を選択されたフィルタによって成形する手段と、
選択されたフィルタを識別するために第２のフィルタ選択インジケータを生成する手段とを具備しているスピーチの非音声セグメントを符号化するスピーチコーダ。
【請求項９】  残差信号フレームを複数のサブフレームに区分する手段は残差信号フレームを１０個のサブフレームに区分する手段を含んでいる請求項８記載のスピーチコーダ。
【請求項１０】  サブフレーム利得のグループをサブグループに区分する手段は、１０個のサブフレーム利得のグループをそれぞれ５のサブフレーム利得の２つのグループに区分する手段を含んでいる請求項８記載のスピーチコーダ。
【請求項１１】  最高の振幅のランダム数の予め定められた割合を選択する手段は、最高の振幅のランダム数の２５％を選択する手段を具備している請求項８記載のスピーチコーダ。
【請求項１２】サブグループを正規化する手段は、それぞれ５個のサブフレームコードブック利得の２つのサブグループに対して２つの正規化係数を生成する手段を具備している請求項８記載のスピーチコーダ。
【請求項１３】  サブフレーム利得を量子化する手段は多段ベクトル量子化を行う手段を具備している請求項８記載のスピーチコーダ。
【請求項１４】  残差信号フレームを複数のサブフレームに区分し、複数のサブフレームのそれぞれに対してコードブック利得を計算することによりサブフレーム利得のグループを生成し、サブフレーム利得のグループをサブフレーム利得のサブグループに区分し、サブフレーム利得の正規化されたサブグループの１つにそれぞれ関連されている複数の正規化係数を生成するためにサブフレーム利得のサブグループを正規化し、複数の正規化係数のそれぞれを指数関数形態に変換するように構成されている利得計算コンポーネントと、
量子化された正規化係数インデックスを生成するために変換された複数の正規化係数を量子化し、複数のサブグループの１つのコードブック利得インデックスにそれぞれ関連されている複数の量子化されたコードブック利得を生成するために、サブフレーム利得の正規化されたサブグループを量子化するように構成されている利得量子化装置と、
複数のサブフレームのそれぞれに対するランダム数を有するランダム雑音信号を発生するように構成されているランダム数発生装置と、
複数のサブフレームのそれぞれに対するランダム雑音信号の最高の振幅のランダム数の予め定められた割合を選択するように構成されているランダム数セレクタと、
スケールされたランダム雑音信号を発生するために各サブフレームに対する量子化されたコードブック利得により、選択された最高の振幅のランダム数をスケールするように構成されている乗算器と、
スケールされたランダム雑音信号からローエンドおよびハイエンド周波数を除去するためのバンドパスフィルタと、
スケールされたランダム雑音信号を知覚濾波するための第１の成形フィルタと、
残差信号のエネルギを解析するように構成されているスケールされていない帯域エネルギ解析装置と、
スケールされたランダム信号のエネルギを解析し、そのエネルギ解析と比較した残差信号のエネルギの相対的なエネルギ解析を行うように構成されているスケールされた帯域エネルギ解析装置と、
相対的なエネルギ解析に基づいて、第２のフィルタを選択し、さらにスケールされたランダム雑音信号を選択されたフィルタにより成形し、選択されたフィルタを識別するための第２のフィルタ選択インジケータを生成するように構成されている第２の成形フィルタとを具備しているスピーチの非音声セグメントを符号化するスピーチコーダ。
【請求項１５】  バンドパスフィルタと第１の成形フィルタは固定フィルタである請求項１４記載のスピーチコーダ。
【請求項１６】  第１の成形フィルタは２つの固定成形フィルタで構成されている請求項１４記載のスピーチコーダ。
【請求項１７】  選択されたフィルタを識別するために第２のフィルタ選択インジケータを生成するように構成されている第２の成形フィルタは、さらに２ビットのフィルタ選択インジケータを生成するように構成されている請求項１４記載のスピーチコーダ。
【請求項１８】  残差信号フレームを複数のサブフレームに区分するように構成された利得計算コンポーネントはさらに残差信号フレームを１０個のサブフレームに区分するように構成されている請求項１４記載のスピーチコーダ。
【請求項１９】  サブフレーム利得のグループをサブグループに区分するように構成されている利得計算コンポーネントは、さらに１０個のサブフレーム利得のグループをそれぞれ５個のサブフレーム利得の２つのグループに区分するように構成されている請求項１４記載のスピーチコーダ。
【請求項２０】  最高の振幅のランダム数の予め定められた割合を選択するように構成されているランダム数セレクタはさらに、最高の振幅のランダム数の２５％を選択するように構成されている請求項１４記載のスピーチコーダ。
【請求項２１】  サブグループを正規化するように構成されている利得計算コンポーネントはさらに、それぞれ５個のサブフレームコードブック利得の２つのサブグループに対して２つの正規化係数を生成するように構成されている請求項１４記載のスピーチコーダ。
【請求項２２】  利得量子化装置は多段ベクトル量子化を行うようにさらに構成されている請求項１４記載のスピーチコーダ。
【請求項２３】  残差信号フレームを、関連するコードブック利得を有するサブフレームに区分するように構成されている利得計算コンポーネントと、
インデックスを生成するために利得を量子化するように構成されている利得量子化装置と、
サブフレームに関連するインデックスにより各サブフレームに関連するランダム雑音の割合をスケールするように構成されているランダム数セレクタおよび乗算器と、
スケールされたランダム雑音の第１の濾波を行うように構成されている第１の知覚フィルタと、
濾波された雑音と残差信号とを比較するように構成されている帯域エネルギ解析装置と、
前記比較に基づいてランダム雑音の第２の濾波を行い、行われた第２の濾波を識別するために第２のフィルタ選択インジケータを生成するように構成されている第２の成形フィルタとを具備しており、ランダム雑音の第２の濾波を行うように構成されている第２の成形フィルタはさらに２つの固定したフィルタを有するように構成されているスピーチの非音声セグメントを符号化するスピーチコーダ。
【請求項２４】  残差信号フレームを、関連するコードブック利得を有するサブフレームに区分するように構成されている利得計算コンポーネントと、
インデックスを生成するために利得を量子化するように構成されている利得量子化装置と、
サブフレームに関連するインデックスにより各サブフレームに関連するランダム雑音の割合をスケールするように構成されているランダム数セレクタおよび乗算器と、
スケールされたランダム雑音の第１の濾波を行うように構成されている第１の知覚フィルタと、
濾波された雑音と残差信号とを比較するように構成されている帯域エネルギ解析装置と、
前記比較に基づいてランダム雑音の第２の濾波を行い、行われた第２の濾波を識別するために第２のフィルタ選択インジケータを生成するように構成されている第２の成形フィルタとを具備しており、第２のフィルタ選択インジケータを発生するように構成されている第２の成形フィルタはさらに２ビットフィルタ選択インジケータを発生するように構成されているスピーチの非音声セグメントを復号するスピーチコーダ。